(57)【要約】流体含有水溶解性パウチを作成するための真空補助付きの方法が、ａ）弾性フィルム材料の第一のシートを空洞及びフランジを有する水平の型の上に置く工程と、ｂ）フィルム材料を張力下に維持しながら、真空の助けで空洞内に引き込んで、開放パウチを形成する段階と、ｃ）開放パウチに充填する工程と、ｄ）開放パウチをフィルム材料の第二のシートで閉止及び封着する工程と、ｅ）パウチにかけられた真空を解放する工程とを含む。本発明の方法により得られるパウチは、空気混入量を減少する。洗濯及び食器洗い用の洗剤組成物が含まれるパウチの使用も開示される。
2006501111.tif 000002
【特許請求の範囲】
【請求項１】
流体含有水溶解性パウチを作成するための真空補助付きの方法であって：
ａ）弾性フィルム材料の第一のシートを空洞及びフランジを有する水平の型の上に置く工程と、
ｂ）前記フィルム材料を張力下に維持しながら、真空の助けで前記空洞内に引き込んで開放パウチを形成する工程と、
ｆ）前記開放パウチにある体積の流体を充填して有効流体表面積Ａfを画定する工程と、
ｇ）前記開放パウチをフィルム材料の第二のシートで１つ以上の封着線に沿って閉止及び封着する工程であって、前記封着線により囲まれる領域が面積Ａsを有するものである、閉止及び封着する工程と、
ｈ）前記パウチにかけられた真空を解放する工程とを含み、
且つ、前記空洞の容積に対する前記流体の体積及び前記フランジに対する前記封着線の位置は、ＡfとＡsが約１：１．２〜約１：５の比であるようなものである前記方法。
【請求項２】
工程ｂ）により張力下に維持された前記フィルム材料の第一のシートが、約２０％〜約５５％の変形を受ける、請求項１に記載の方法。
【請求項３】
前記フィルム材料の第一及び第二のシートの寸法が、静止条件下で約１０％未満異なる、請求項１に記載の方法。
【請求項４】
前記開放パウチが、前記型の前記フランジより下に約２ｍｍの高さまで充填される、請求項１に記載の方法。
【請求項５】
前記型の空洞が円筒形状を有し、前記封着線により画定される領域が平行六面体形状を有する、請求項１に記載の方法。
【請求項６】
前記得られたパウチが長方形の足跡を有する、請求項１に記載の方法。
【請求項７】
複数の封着線を含み、且つ前記封着が間欠的封着により行われる、請求項１に記載の方法。
【請求項８】
前記第二のシートが、混入空気を減少するために、前記パウチの前記封着の間に、反弓なり処置にかけられる、請求項１に記載の方法。
【請求項９】
前記反弓なり処置が重量手段により行われる、請求項１〜８のいずれか一項に記載の方法。
【請求項１０】
前記流体が液体である、請求項１に記載の方法。
【請求項１１】
請求項１の方法により作成される、流体含有水溶解性パウチ。
【請求項１２】
共に封着された第一及び第二のシートと約１０：１〜約２：１の基部長さ対高さの比とを有する水平に形成された流体含有水溶解性パウチであって、前記パウチの両方のシートが張力下にあり、並びに前記流体の体積と前記パウチ内に含まれる空気の体積とが、約１．７：１〜約８：１の比である前記パウチ。
【請求項１３】
共に封着された第一及び第二のシートと約１０：１〜約２：１の基部長さ対高さの比とを有する水平に形成された流体含有水溶解性パウチであって、前記パウチは、空気混入を減少するために、前記パウチの封着の間に前記第二のシートが反弓なり処置にかけられる工程を含む方法により形成されること、並びに前記流体の体積と前記パウチ内に混入した空気の体積とが、約１．７：１〜約８：１の比であることを特徴とするパウチ。
【請求項１４】
少なくとも１つの固体挿入物を更に含む、請求項１１〜１３のいずれか一項に記載のパウチ。
【請求項１５】
水溶解性の複数区画パウチを作成する方法であって、少なくとも１つの区画が請求項１の方法により作成される前記方法。
【請求項１６】
請求項１１のパウチを使用する自動食器洗い方法。
【請求項１７】
請求項１１のパウチを使用する洗濯方法。
【発明の詳細な説明】
【技術分野】
【０００１】
本発明は、パウチ製造の分野のものであり、特に、流体含有水溶解性パウチ及びその洗剤用途のための使用に関する。
【背景技術】
【０００２】
異なる用途のための、特にクリーニング用途のための水溶解性パウチの使用が、徐々に普及してきている。多数の他の利点がある中で、パウチによって、ユーザーが、漂白剤及び／又は他の刺激性物質を含有することもあるクリーニング組成物に接触することが回避される。
パウチの形状及びサイズはその用途によって決定されることが多く、例えば自動食器洗い機中で使用するためのパウチの場合、パウチの形状及びサイズは、他のものの中でも、洗剤散布区画の形状により決定可能である。
【発明の開示】
【発明が解決しようとする課題】
【０００３】
パウチ生産の最も効率的な方法の１つは、水平形成方法を用いることである。この方法により作成されるパウチ、特に流体含有パウチの欠点の１つは、パウチが必然的にある量の空気を混入していることである。この空気は、それがなければ活性物質流体により占められる空間の一部を占領する。浅いパウチ、すなわち高さに対して大きい基部の比を有するパウチの場合、及び熱封着により封止されるパウチの場合に、問題はより深刻である。この議論の故に、水平に形成された流体含有パウチ、特に浅い熱封着パウチの中の混入空気量を最小限にする必要性がある。
【０００４】
熱封着プロセスは、封着領域の乾燥状態の維持を必要とする。封着領域が汚染すると、弱い封着になり得る。したがって、封着プロセスの間の要求事項は、開放パウチ内の流体レベルをパウチの封着領域よりある距離下に維持することである。この要求事項は、パウチが活性物質流体により占められる容積に比べてかなりの容積を空気により占められることの原因になる。上述したように、この現象は、浅いパウチの場合により深刻である。
【課題を解決するための手段】
【０００５】
所与の形状の流体含有パウチの中に混入した空気の体積は、空洞及びフランジを有する型内で真空補助される方法により減少可能であり、その際、パウチ作成プロセス中の有効流体表面積がパウチ作成プロセス中に封着線によって画定される領域の面積より小さいものであることが今や出願者らにより見出された。パウチの所望の最終形状は、封着線により作りだされる領域の大きさとフィルム材料の伸張性とを調整することにより達成可能である。
【０００６】
したがって、本発明の第一の態様によれば、
ａ）弾性フィルム材料の第一のシートを空洞及びフランジを有する水平な型の上に置く工程と、
ｂ）フィルム材料を張力下に維持しながら、真空の助けで空洞内に引き込んで開放パウチを形成する段階と、
ｃ）開放パウチにある体積の流体を充填して有効流体表面積Ａfを画定する工程と、
ｄ）開放パウチをフィルム材料の第二のシートで１つ以上の封着線に沿って閉止及び封着する工程であって、封着線により囲まれる領域が面積Ａsを有するものである、閉止及び封着する工程と、
ｅ）パウチにかけられた真空を解放する工程とを含み、
且つ、空洞の容積に対する流体の体積及びフランジに対する封着線の位置は、ＡfとＡsが約１：１．２〜約１：５、好ましくは約１：１．６〜約１：４、より好ましくは約１：１．８〜約１：３の比であるようなものである、流体含有水溶解性パウチを作成するための真空補助付きの方法が提供される。
【０００７】
本発明の方法は、フィルムを型に引き込んで伸張するために、真空の助けを必要とする。フィルムの引き込みは、型の外側又は内側いずれかからフィルムを加熱することによっても追加的な助けが可能である。加熱により、フィルム内のしわ形成が減少されることがある。
【０００８】
型のフランジは、その縁領域で空洞を取り囲む周辺の水平領域であるとする。「有効流体表面積Ａf」は、開放パウチ内にある流体の静止状態での計算表面積である。封着線Ａsにより画定される領域の面積は、型フランジ上で水平に存在する仮想平面の封着線が周囲を定める面積であるとする。
【０００９】
好ましい実施形態では、フィルム材料の第一のシートは、プロセスのｂ）〜ｄ）の工程の間に、少なくとも１つの方向に、約２０％〜約５５％、好ましくは約３０％〜約４０％の変形を受ける。好ましくは、フィルム材料の第一及び第二のシートは、静止状態、例えば張力がないときに寸法が類似である（例えば、それらの寸法は、１０％、好ましくは５％を超える差がない）。パウチが形成されると、第一のシートは引き伸ばされているが、好ましくは、第二のシートは、引き伸ばされていないか、又はより少ない程度に変形している。したがって、パウチが形成されて真空が解放された後で、第一のシートに作用していた弾性力がシート間でバランスがとれ、平衡が確立される。この方法は、形成された空洞内とは異なる形状を有するパウチを生じさせる。パウチの最終形状は、主として、パウチ作成プロセス中の第一のシートの変形、型空洞の形状、及び封着線の形状によって決まる。
【００１０】
変形は、本明細書において、（ｘi／ｘf）×１００として定義され、式中ｘiは、フィルムに真空がかけられる前の封着線の対向する２点間のフィルム長さであり、ｘfは、フィルムに真空がかけられた後で真空が解放される前の封着線の同一２点間のフィルム長さである。
【００１１】
真空下におけるフィルム材料の第一のシートの変形は、例えば、シート上に格子を描いて、シートにプロセスの真空条件をかけて、次にシートを加熱及び冷却して決定することができる。加熱段階は、弾性変形を塑性変形に変換して、冷却の後でシートがその構造を維持するようなものである。したがって、シートの変形は、最初の格子の大きさを最後の格子の大きさと比較することにより測定可能である。
【００１２】
堅牢な封止を達成するために、特に封止が熱封着により実施される場合に、流体による封着領域の汚染は回避されるべきである。他方では、型のフランジより下の流体レベルは、パウチ内に混入した空気の体積を減少するために、可能な限り小さくすべきである。最適な封着の堅牢性／混入空気体積は、開放パウチが型のフランジより約３ｍｍ、好ましくは約２ｍｍ、より好ましくは約１ｍｍ下の高さまで満たされるときに、到達することが判明した。
【００１３】
好ましい実施形態では、型の空洞は円筒形状を有し、封着線により画定される領域は平行六面体形状を有し、得られたパウチの（パウチが散布器の中に置かれたときの）足跡は、好ましくは、実質的に長方形又は正方形である。食器洗い機散布器の多くは長方形又は正方形を有しているので、それらの形状を有するパウチは、散布器嵌め込みに更に良く適合する。
【００１４】
好ましい実施形態では、パウチは複数の封止線を含み、及びパウチの封止は、好ましくは熱封着により、例えば、パウチとなるものの２つの対向する側辺をまず封着し、次に他の２つの対向する側辺を封着することにより、間欠的に実施される。第二のシートは、通常は、封着段階中にある程度弓なりにされる。好ましくは、反弓なり処置は封着中に行われ、これにより、パウチ内に混入した空気量が更に減少する。反弓なりは、例えば、空気手段、すなわちパウチに向かって吹き下ろす空気流によって、又は重量手段例えば第二のシートを下向きに押す棒によって、達成可能である。この棒は、流体とフィルムの間に接触を確立することなくパウチから排出する空気量を最大限にするために、通常は空洞の開口に一致するが僅かにより小さい、適切な形状を有すべきである。別の方法として、封着は、溶媒封着により実行可能である。
【００１５】
本発明の方法により作成されるパウチ内に含まれる流体は、液体、ジェル、又はペーストの形態とすることができる。流体は、固体又は複数の固体挿入物、例えば、微小ビーズ、めん状物、又は１つ以上の真珠色ボールなどをも含むことができる。
【００１６】
本発明の第二の態様によれば、本発明の方法により作成されたパウチが提供される。好ましい実施形態では、水平に形成された流体含有水溶解性パウチが提供され、これは、（好ましくは熱封着により）共に封着された第一及び第二のシートと、約５０：１〜約２：１、好ましくは約２０：１〜約３：１、より好ましくは約１０：１〜約４：１の基部長さ対高さの比とを有しており、両方のシートが伸張されて張力下にあること、並びに流体体積とパウチ内に混入した空気の体積が、約１．７：１〜約８：１、好ましくは約２：１〜約６：１の比であることを特徴とする。これらのパウチは、伝統的に水平に形成されたパウチのものより少ない混入空気体積を有しながら、非常に堅牢な封着を提供することを特徴とする。
【００１７】
パウチの高さは、約２ｋｇの静止荷重下で最大足跡を有する基部の１つの上にパウチが置かれるときに、パウチ基部の１つに垂直な最大長手方向寸法として定義される。基部長さは、同一条件下でその長手方向に垂直な平面内のパウチの最大幅として定義される。
【００１８】
本発明の別の態様において、やはり水平に形成された流体含有水溶解性パウチが提供され、これは、共に封着された第一及び第二のシートと、約５０：１〜約２：１、好ましくは約２０：１〜約３：１、より好ましくは約１０：１〜約４：１の基部長さ対高さの比とを有しており、混入空気を減少するために、パウチの封着中に第二のシートに反弓なり処置をかけられる工程を含む方法によりパウチが形成されること、並びに流体の体積とパウチ内に混入した空気の体積が、約１．７：１〜約８：１、好ましくは約２：１〜約６：１の比であることを特徴とする。
【００１９】
本発明のパウチは、流体／流体又は固体／流体の複数区画パウチのいずれかの、複数区画パウチの作成にも好適である。本発明の方法は、１つの区画だけを作成するのに使用可能であるか、又は別の方法として複数区画パウチ全体を作成するのにも使用可能である。複数区画パウチは、好ましくは、成形前の第二のパウチを有して、第一の開放パウチを形成及び充填してこの開放パウチを閉じることにより作成される。この方法は、ＰＣＴ国際公開特許ＷＯ０２／４２４０８に記載されている。食器洗い中の使用に特に好適であるのは、粉体／液体パウチである。
【００２０】
本発明のパウチを洗濯及び食器洗い用に使用するための方法も提供される。パウチは、洗剤散布器内又は機器内のいずれかに設置可能である。食器洗いの場合、パウチは、散布器の中に置かれるのが好ましい。
【発明を実施するための最良の形態】
【００２１】
本発明は、液体を入れた水溶解性パウチを作成する水平方法を想定している。本発明の方法によって生産されたパウチは、従来方法によって作成されたパウチ内に含まれるものより少ない空気混入体積である。このことは、高さに対して大きい基部長さの比を有する、すなわち浅いパウチにおいて特に有利である。本発明はまた、これらのパウチを食器洗い及び洗濯用に使用することも想定している。
【００２２】
本発明のパウチは、パウチ材料に適合性のあるいかなる液体組成物をも含むことができる。これらのパウチは、洗剤の分野で特に有用である。
パウチは、好ましくは、水中で溶解性又は分散性である材料により作成され、最大孔径２０μｍのガラス濾過器を使用の後で下記する方法により測定するとき、少なくとも５０％、好ましくは少なくとも７５％、又は更に好ましくは少なくとも９５％の水溶解度を有する。
【００２３】
前もって重量測定した４００ｍｌビーカーに、カプセル又はパウチ材料５０ｇ±０．１ｇ及び蒸留水２４５ｍｌ±１ｍｌを加える。これを６２．８ラジアン／秒（６００ｒｐｍ）に設定した磁性攪拌器により３０分間激しく撹拌する。その後、混合物を上記で定義した孔径（最大２０μｍ）の定性ガラス濾過器で濾過する。回収した濾液からいずれかの従来法によって水を乾燥させ、残った材料の重量を測定する（これが溶解又は分散画分である）。その後、溶解度％又は分散度％を計算することができる。
【００２４】
好ましいパウチ材料は、ポリマー材料、好ましくはフィルム又はシートに成形されるポリマーである。パウチ材料は、当技術分野で既知のように、例えば、ポリマー材料の注型、吹込み成形、押出成形、又は吹込み押出成形によって得ることができる。
パウチ材料として使用するのに適した好ましいポリマー、コポリマー、又はそれらの誘導体は、ポリビニルアルコール類、ポリビニルピロリドン、ポリアルキレンオキシド類、アクリルアミド、アクリル酸、セルロース、セルロースエーテル類、セルロースエステル類、セルロースアミド類、ポリビニルアセテート類、ポリカルボン酸類及び塩、ポリアミノ酸類又はペプチド類、ポリアミド類、ポリアクリルアミド、マレイン酸／アクリル酸のコポリマー類、デンプン及びゼラチンを含む多糖類、並びにキサンタン及びカラゴムなどの天然ゴム類から選択される。より好ましいポリマーは、ポリアクリレート及び水溶性アクリレートコポリマー類、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレート類から選択され、最も好ましくは、ポリビニルアルコール類、ポリビニルアルコールコポリマー類、及びヒドロキシプロピルメチルセルロース（ＨＰＭＣ）、並びにこれらの組み合わせから選択される。好ましくは、パウチ材料中のポリマー、例えばＰＶＡポリマーの濃度は、少なくとも６０％である。
【００２５】
ポリマーの混合物も使用可能である。これは、用途及び要求される必要性に応じて、区画又はパウチの機械的及び／又は溶解特性を調整することで特に有益になり得る。例えば、ポリマー混合物は、１つのポリマー材料がその他のポリマー材料より高い水溶解度を有し、及び／又は１つのポリマー材料がその他のポリマー材料より高い機械的強度を有することによって、区画の材料中に存在することが好ましい。異なる重量平均分子量を有するポリマーの混合物、例えば、１０，０００〜４０，０００、好ましくは約２０，０００の重量平均分子量のＰＶＡ又はそれらのコポリマーと、約１００，０００〜３００，０００、好ましくは約１５０，０００の重量平均分子量のＰＶＡ又はそれらのコポリマーとの混合物を使用することが好ましい。
【００２６】
物質が水分散性又は水溶解性であるべき場合、やはり有用であるのは、例えばポリラクチド及びポリビニルアルコールのような加水分解的に分解され得る及び水溶解性のポリマーブレンドを含むポリマー混合組成物であり、これは、典型的には１重量％〜３５重量％のポリラクチド、及び約６５重量％〜９９重量％のポリビニルアルコールを含む、ポリラクチドとポリビニルアルコールの混合によって達成される。フィルムに存在するＰＶＡは、材料の溶解度を改善するために、６０％〜９８％、好ましくは８０％〜９０％加水分解されていることが好ましい場合もある。
【００２７】
最も好ましいパウチ及びラップ材料は、米国インディアナ州ゲーリー（Gary）のクリス−クラフト・インダストリアル・プロダクツ（Chris-Craft Industrial Products）から販売されている商品照会名モノゾル（Monosol）Ｍ８６３０として知られるＰＶＡフィルム、及び相当する溶解特性及び変形特性を有するＰＶＡフィルムである。本明細書で使用するのに好適な他のフィルムには、アイセロ（Aicello）から供給される商品照会名ＰＴフィルム若しくはＫ−シリーズフィルム、又はクラレイ（Kuraray）から供給されるＶＦ−ＨＰフィルムとして知られるフィルムが挙げられる。
【００２８】
本明細書の水溶解性フィルムは、ポリマー又はポリマー材料以外の他の添加物成分を含んでもよい。例えば、可塑剤、例えば、グリセロール、エチレングリコール、ジエチレングリコール、プロピレングリコール、ソルビトール及びそれらの混合物、付加的な水、分解補助剤を加えることが有益であり得る。パウチ又は水溶解性フィルムそのものが、洗浄水に供給されるべき洗剤添加物、例えば、有機ポリマー汚れ放出剤、分散剤、移染防止剤を含むことが有用であり得る。
【００２９】
本発明のパウチは、好ましくは、洗剤補助剤又は組成物を含む。これらの洗剤補助剤又は組成物は、従来の洗浄成分を含むことができ、並びに洗浄機能を有する有機溶媒と担体機能又は希釈機能又はその他幾つかの特定機能を有する有機溶媒とを含むことができる。この組成物は、一般に、漂白剤、界面活性剤、アルカリ性成分、酵素、増粘剤（液体、ペースト、クリーム、又はゲル組成物の場合）、及び耐食剤（例えば、ケイ酸ナトリウム）から選択可能な、１つ以上の洗剤活性成分を含み、及びこれらで作られる。非常に好ましい洗剤成分には、ビルダー化合物、アルカリ性成分、界面活性剤、酵素、及び漂白剤が含まれる。
【００３０】
有機溶媒は、調理器具／食器や自動食器洗い機の種々の部品と適合性を有するように選択することが必要である。更に、溶媒系は、１３３．３Ｐａ（１ｍｍＨｇ）を超える（好ましくは１３．３Ｐａ（０．１ｍｍＨｇ）を超える）揮発性有機物含量が溶媒系の約５０重量％未満、好ましくは約３０重量％未満、より好ましくは約１０重量％未満であって、使用が効果的及び安全でなければならない。また、これらは、極めて穏やかな心地良い香りを有すべきである。本明細書において使用する個々の有機溶媒は、一般に、約１５０℃を超える沸点、約１００℃を超える引火点、及び２５℃且つ大気圧で、約１３３．３Ｐａ（１ｍｍＨｇ）未満、好ましくは１３．３Ｐａ（０．１ｍｍＨｇ）未満の蒸気圧を有する。
【００３１】
本発明で使用可能な溶媒には：ｉ）ベンジルアルコール、１，４−シクロヘキサンジメタノール、２−エチル−１−ヘキサノール、フルフリルアルコール、１，２−ヘキサンジオール、及びその他類似物質などのアルコール；ｉｉ）アルカノールアミン（例えば、一級アルカノールアミン（モノエタノールアミン、モノイソプロパノールアミン、ジエチルエタノールアミン、エチルジエタノールアミン）、二級アルカノールアミン（ジエタノールアミン、ジイソプロパノールアミン、２−（メチルアミノ）エタノール）、三級アルカノールアミン（トリエタノールアミン、トリイソプロパノールアミン））、アルキルアミン（例えば、一級アルキルアミン（モノメチルアミン、モノエチルアミン、モノプロピルアミン、モノブチルアミン、モノペンチルアミン、シクロヘキシルアミン）、二級アルキルアミン（ジメチルアミン））、アルキレンアミン（一級アルキレンアミン（エチレンジアミン、プロピレンジアミン））、及びその他類似物質などのアミン；ｉｉｉ）乳酸エチル、メチルエステル、アセトアセテートエチル、エチレングリコールモノブチルエーテルアセテート、ジエチレングリコールモノエチルエーテルアセテート、ジエチレングリコールモノブチルエーテルアセテート、及びその他類似物質などのエステル；ｉｖ）エチレン
グリコールモノブチルエーテル、ジエチレングリコールモノブチルエーテル、エチレングリコールモノメチルエーテル、エチレングリコールモノエチルエーテル、ジエチレングリコールモノメチルエーテル、ジエチレングリコールモノエチルエーテル、プロピレングリコールブチルエーテル、及びその他類似物質などのグリコールエーテル；ｖ）プロピレン
グリコール、ジエチレングリコール、ヘキシレングリコール（２−メチル−２，４−ペンタンジオール）、トリエチレングリコール、組成物及びジプロピレングリコール及びその他類似物質などのグリコール、並びにこれらの混合物などが挙げられる。
【００３２】
（界面活性剤）
本明細書に好適な界面活性剤としては、アルキルスルフェート、アルキルエーテルスルフェート、アルキルベンゼンスルホネート、アルキルグリセリルスルホネート、アルキル及びアルケニルスルホネート、アルキルエトキシカルボキシレート、Ｎ−アシルサルコシネート、Ｎ−アシルタウレート及びアルキルスクシネート、並びにスルホスクシネートなどの陰イオン性界面活性剤（ここでアルキル、アルケニル又はアシル部位はＣ5〜Ｃ20、好ましくはＣ10〜Ｃ18直鎖又は分枝鎖状である）；クロリンエステル（ＵＳ−Ａ−４，２２８，０４２、ＵＳ−Ａ−４，２３９，６６０及びＵＳ−Ａ−４，２６０，５２９）及びモノＣ6〜Ｃ16Ｎ−アルキル又はアルケニルアンモニウム界面活性剤（ここで、残りのＮ位はメチル、ヒドロキシエチル又はヒドロキシプロピル基で置換されている）などの陽イオン性界面活性剤；非イオン性アルコキシル化界面活性剤（特にＣ6〜Ｃ18の第一級アルコールから誘導されるエトキシレート）、エトキシル化−プロポキシル化アルコール（例えば、ＢＡＳＦのポリ−タージェント（登録商標）ＳＬＦ１８）、エポキシキャップされたポリ（オキシアルキル化）アルコール（例えば、ＢＡＳＦのポリ−タージェント（登録商標）ＳＬＦ１８Ｂ−ＰＣＴ国際公開特許ＷＯ−Ａ−９４／２２８００を参照のこと）、エーテルキャップされたポリ（オキシアルキル化）アルコール界面活性剤、及びＢＡＳＦ−ワイアンドット社（BASF-Wyandotte Corp.）（ミシガン州ワイアンドット）からのプルロニック（登録商標）、リバースドプルロニック（登録商標）及びテトロニック（登録商標）などのブロックポリオキシエチレン−ポリオキシプロピレン高分子化合物を含む低曇点及び高曇点の非イオン性界面活性剤及びこれらの混合物；Ｃ12〜Ｃ20アルキルアミンオキシド（本明細書で使用されるのに好ましいアミンオキシドとしては、Ｃ12ラウリルジメチルアミンオキシド及びＣ14及びＣ16ヘキサデシルジメチルアミンオキシドが挙げられる）及びミラノール（Miranol（商標））Ｃ２Ｍなどのアルキル両性カルボン酸界面活性剤などの両性界面活性剤；及びベタインやスルタインなどの双極性界面活性剤；並びにこれらの混合物などが挙げられる。本明細書に好適な界面活性剤が、例えば、ＵＳ−Ａ−３，９２９，６７８、４，２５９，２１７、ＥＰ−Ａ−０４１４５４９、ＰＣＴ国際公開特許ＷＯ９３／０８８７６、及び同ＷＯ９３／０８８７４に開示されている。界面活性剤は、通常は組成物の約０．２重量％〜約３０重量％、より好ましくは約０．５重量％〜約１０重量％、最も好ましくは約１重量％〜約５重量％の濃度で存在する。本明細書に用いるのに好ましい界面活性剤は、低発泡性であり、これには、低曇点非イオン性界面活性剤、及び高発泡性界面活性剤と、その石鹸泡抑制剤の働きをする低曇点非イオン性界面活性剤との混合物が挙げられる。
【００３３】
（ビルダー）
本明細書に用いるのに好適なビルダーには、水溶性ビルダー（例えば、クエン酸塩、炭酸塩及びポリリン酸塩（例えば、トリポリリン酸ナトリウム及びトリポリリン酸ナトリウム６水和物、トリポリリン酸カリウム及びトリポリリン酸ナトリウム及びカリウムの混合物））；並びに部分水溶性又は不溶性ビルダー（例えば、結晶性層状ケイ酸塩（ＥＰ−Ａ−０１６４５１４及びＥＰ−Ａ−０２９３６４０）及びアルミノケイ酸塩（ゼオライトＡ、Ｂ、Ｐ、Ｘ、ＨＳ及びＭＡＰなど））が含まれる。ビルダーは、典型的には、組成物の約１重量％〜約８０重量％、好ましくは約１０重量％〜約７０重量％、最も好ましくは約２０重量％〜約６０重量％の濃度で存在する。
【００３４】
長期保存安定性の観点から、非常に好ましいのは、総ケイ酸塩（非晶性及び結晶性）を約２２％未満、好ましくは約１５％未満含有する組成物であるが、ＳｉＯ2：Ｎａ2Ｏの比が１．８〜３．０、好ましくは１．８〜２．４、最も好ましくは２．０である非晶性ケイ酸ナトリウムもまた、本明細書において使用することができる。
【００３５】
（酵素）
本明細書において好適な酵素には、細菌及び真菌セルラーゼ、例えばケアザイム（Carezyme）及びセルザイム（Celluzyme）（ノボノルディスク社（Novo Nordisk A/S））；ペルオキシダーゼ；リパーゼ、例えばアマノ−Ｐ（Amano-P）（天野製薬株式会社（Amano Pharmaceutical Co.））、Ｍ１リパーゼ（M1 Lipase（登録商標））及びリポマックス（Lipomax（登録商標））（ヒスト・ブロカデス（Gist-brocades））及びリポラーゼ（Lipolase（登録商標））及びリポラーゼ・ウルトラ（Lipolase Ultra（登録商標））（ノボ（Novo））；クチナーゼ；プロテアーゼ、例えばエスペラーゼ（Esperase（登録商標））、アルカラーゼ（Alcalase（登録商標））、デュラザイム（Durazym（登録商標））及びサビナーゼ（Savinase（登録商標））（ノボ（Novo））及びマキサターゼ（Maxatase（登録商標））、マキサカール（Maxacal（登録商標））、プロペラーゼ（Properase（登録商標））及びマキサペム（Maxapem（登録商標））（ヒスト・ブロカデス（Gist-brocades））；α及びβアミラーゼ、例えばピュラフェクトＯｘＡｍ（Purafect Ox Am（登録商標））（ジェネンコア（Genencor））及びターマミル（Termamyl（登録商標））、バン（Ban（登録商標））、フンガミル（Fungamyl（登録商標））、デュラミル（Duramyl（登録商標））及びナタラーゼ（Natalase（登録商標））（ノボ（Novo））；ペクチナーゼ；並びにこれらの混合物が挙げられる。本明細書での酵素は、好ましくは、小球状、粒状、又は共粒状で、通常は組成物の約０．０００１重量％〜約２重量％の範囲の純酵素濃度で加えられる。
【００３６】
（漂白剤）
本明細書に好適な漂白剤には、塩素漂白剤及び酸素漂白剤が挙げられ、とりわけ無機過水和物塩、例えば、過ホウ酸ナトリウム一水和物及び四水和物、並びに放出速度を制御するために任意にコーティングされた過炭酸ナトリウム（例えば、硫酸塩／炭酸塩コーティングに関してはＧＢ−Ａ−１４６６７９９を参照のこと）、有機過オキソ酸漂白剤前駆体及び／又は遷移金属コーティング漂白触媒（とりわけマンガン又はコバルト）を有する前成形有機過オキソ酸及びこれらの混合物が挙げられる。無機過水和物塩は、通常は組成物の約１重量％〜約４０重量％、好ましくは約２重量％〜約３０重量％、より好ましくは約５重量％〜約２５重量％の範囲の濃度で組み込まれる。本明細書に用いるのに好ましい過オキソ酸漂白剤前駆体には、過安息香酸及び置換型過安息香酸の前駆体；陽イオン性過オキソ酸前駆体；過酢酸前駆体、例えば、ＴＡＥＤ、アセトキシベンゼンスルホン酸ナトリウム、及びペンタアセチルグルコース；過ノナン酸前駆体、例えば、３，５，５−トリメチルヘキサノイルオキシベンゼンスルホン酸ナトリウム（イソ−ＮＯＢＳ）及びノナノイルオキシベンゼンスルホン酸ナトリウム（ＮＯＢＳ）；アミド置換型アルキル過オキソ酸前駆体（ＥＰ−Ａ−０１７０３８６）；並びにベンゾオキサジン過オキソ酸前駆体（ＥＰ−Ａ−０３３２２９４及びＥＰ−Ａ−０４８２８０７）が挙げられる。漂白剤前駆体は、通常は組成物の約０．５重量％〜約２５重量％、好ましくは約１重量％〜約１０重量％の範囲の濃度で組み込まれ、前成形有機過オキソ酸自体は、通常は組成物の０．５重量％〜２５重量％、より好ましくは１重量％〜１０重量％の範囲の濃度で組み込まれる。本明細書に用いるのに好ましい漂白触媒には、トリアザシクロノナンマンガン及び関連錯体（ＵＳ−Ａ−４２４６６１２、ＵＳ−Ａ−５２２７０８４）；ビスピリジルアミンコバルト、ビスピリジルアミン銅、ビスピリジルアミンマンガン、ビスピリジルアミン鉄、及び関連錯体（ＵＳ−Ａ−５１１４６１１）；並びにペンタミンアセテートコバルト（ＩＩＩ）及び関連錯体  （ＵＳ−Ａ−４８１０４１０）が挙げられる。
【００３７】
（低曇点非イオン性界面活性剤及び石鹸泡抑制剤）
本明細書に用いるのに好適な石鹸泡抑制剤には、低曇点を有する非イオン性界面活性剤が含まれる。本明細書で使用するとき、「曇点」とは、温度が増加するにつれて溶解性が低下する界面活性剤で生じる、非イオン性界面活性剤の周知の特性であり、第２相の出現が観察できる温度を「曇点」と呼ぶ（カーク・オスマー（Kirk Othmer）、３６０〜３６２頁参照）。本明細書で使用するとき、「低曇点」非イオン性界面活性剤とは、３０℃未満、好ましくは約２０℃未満、更に好ましくは約１０℃未満、最も好ましくは約７．５℃未満の曇点を有する非イオン性界面活性剤系成分として定義される。典型的な低曇点非イオン性界面活性剤には、非イオン性アルコキシル化界面活性剤、特に一級アルコールから誘導されるエトキシレート類、及びポリオキシプロピレン／ポリオキシエチレン／ポリオキシプロピレン（ＰＯ／ＥＯ／ＰＯ）逆ブロックポリマーが挙げられる。また、このような低曇点の非イオン性界面活性剤には、例えば、エトキシル化−プロポキシル化アルコール（例えば、ＢＡＳＦのポリ・タージェント（Poly-Tergent）（登録商標）ＳＬＦ１８）及びエポキシ末端処理されたポリ（オキシアルキル化）アルコール類（例えば、ＵＳ−Ａ−５，５７６，２８１に記載のようなＢＡＳＦの非イオン性のポリ・タージェント（Poly-Tergent）（登録商標）ＳＬＦ１８Ｂシリーズ）も挙げられる。
【００３８】
好ましい低曇点界面活性剤は、次式を有するエーテル末端処理されたポリ（オキシアルキル化）石鹸泡抑制剤であり：
【００３９】
【化１】
2006501111.tif 000003
式中、Ｒ1は平均約７〜約１２個の炭素原子を有する直鎖アルキル炭化水素であり、Ｒ2は約１〜約４個の炭素原子を有する直鎖アルキル炭化水素であり、Ｒ3は約１〜約４個の炭素原子を有する直鎖アルキル炭化水素であり、ｘは約１〜約６の整数であり、ｙは約４〜約１５の整数であり、ｚは約４〜約２５の整数である。
【００４０】
その他の低曇点非イオン性界面活性剤は、次式を有するエーテル末端処理されたポリ（オキシアルキル化）であり：
ＲIＯ（ＲIIＯ）nＣＨ（ＣＨ3）ＯＲIII
式中、ＲIは、約７〜約１２個の炭素原子を有する直鎖又は分枝鎖、飽和又は不飽和、置換型又は非置換型、脂肪族又は芳香族の炭化水素ラジカルから成る群から選択され；ＲIIは同じものでも異なるものでもよく、任意の所与の分子における分枝鎖又は直鎖Ｃ2〜Ｃ7アルキレンから成る群から独立して選択され；ｎは１〜約３０の数であり；ＲIIIは以下のものから成る群から選択される：
（ｉ）１〜３個のヘテロ原子を含有する４〜８員環の置換型又は非置換型複素環、及び
（ｉｉ）約１〜約３０個の炭素原子を有する直鎖又は分枝鎖、飽和又は不飽和、置換型又は非置換型、環式又は非環式の脂肪族又は芳香族の炭化水素ラジカル；
（ｂ）ただし、Ｒ2が（ｉｉ）の場合、（Ａ）Ｒ1の少なくとも１つがＣ2〜Ｃ3アルキレン以外のものであるか、又は（Ｂ）Ｒ2が６〜３０個の炭素原子を有することを条件とし、更にＲ2が８〜１８個の炭素原子を有する場合、ＲがＣ1〜Ｃ5アルキル以外のものであることを条件とする。
【００４１】
本明細書に好適なその他の構成成分には、組成物の約０．１重量％〜約３０重量％、好ましくは約０．５重量％〜約１５重量％、最も好ましくは約１重量％〜約１０重量％の濃度の、分散性、再付着防止性、汚れ放出性、又はその他の洗浄特性を有する有機ポリマーが挙げられる。本明細書に好ましい再付着防止ポリマーには、アクリル酸含有ポリマー、例えば、ソカラン（Sokalan）ＰＡ３０、ＰＡ２０、ＰＡ１５、ＰＡ１０、及びソカランＣＰ１０（ＢＡＳＦ社）、アクゾル（Acusol）４５Ｎ、４８０Ｎ、４６０Ｎ（ローム・アンド・ハース）、アクリル酸／マレイン酸コポリマー、例えばソカランＣＰ５、並びにアクリル／メタクリルコポリマーが挙げられる。本明細書に好ましい汚れ放出ポリマーには、アルキル及びヒドロキシアルキルセルロース類（ＵＳ−Ａ−４，０００，０９３）、ポリオキシエチレン類、ポリオキシプロピレン類及びそれらのコポリマー類、並びにエチレングリコール、プロピレングリコール、及びこれらの混合物のテレフタレートエステル類を主体とする、非イオン性及び陰イオン性ポリマーが挙げられる。
【００４２】
重金属イオン封鎖剤及び結晶成長阻害剤、例えば、ジエチレントリアミンペンタ（メチレンホスホネート）、エチレンジアミンテトラ（メチレンホスホネート）、ヘキサメチレンジアミンテトラ（メチレンホスホネート）、エチレンジホスホネート、ヒドロキシ−エチレン−１，１−ジホスホネート、ニトリロトリアセテート、エチレンジアミノテトラアセテート、エチレンジアミン−Ｎ，Ｎ’−ジサクシネートの塩及び遊離酸の形態は、一般に組成物の約０．００５重量％〜約２０重量％、好ましくは約０．１重量％〜約１０重量％、より好ましくは約０．２５重量％〜約７．５重量％、最も好ましくは約０．５重量％〜約５重量％の濃度で本明細書に用いられるのに好適である。
【００４３】
本明細書の組成物は、腐食防止剤を含有することができ、これには、例えば、組成物の約０．０５重量％〜約１０重量％、好ましくは約０．１重量％〜約５重量％の濃度の有機銀コーティング剤（とりわけ、ウィンターシャル（Wintershall）（ドイツ、ザルツベルゲン）から販売されているウィノン（Winog）７０のようなパラフィン類）、窒素含有腐食防止化合物（例えば、ベンゾトリアゾール及びベンズイマダゾール、ＧＢ−Ａ−１１３７７４１参照）、並びに組成物の約０．００５重量％〜約５重量％、好ましくは約０．０１重量％〜約１重量％、より好ましくは約０．０２重量％〜約０．４重量％の濃度のマンガン（ＩＩ）化合物、特に有機配位子のマンガン（ＩＩ）塩などがある。
【００４４】
本明細書に好適なその他の構成成分には、着色剤、約０．０１％〜約５％の濃度の水溶性ビスマス化合物、例えば、酢酸ビスマス及びクエン酸ビスマス、約０．０１％〜約６％の濃度の酵素安定剤、例えば、カルシウムイオン、ホウ酸、プロピレングリコール及び塩素漂白剤スカベンジャー、石灰石鹸分散剤（ＰＣＴ国際公開特許ＷＯ９３／０８８７７参照）、石鹸泡抑制剤（ＰＣＴ国際公開特許ＷＯ９３／０８８７６及びＥＰ−Ａ−０７０５３２４参照）、ポリマー染料移行阻害剤、光学的光沢剤、香料、充填剤、並びに粘土が挙げられる。
【００４５】
本発明のパウチに使用するのに好適な液体洗剤組成物はまた、メタノール、エタノール、プロパノール、及びイソプロパノールのような低分子量一級又は二級アルコールを少量含有することができる。少量で用いられるその他の好適な担体溶媒には、グリセロール、プロピレングリコール、エチレングリコール、１，２−プロパンジオール、ソルビトール、及びこれらの混合物が挙げられる。
【実施例】
【００４６】
（実施例１）
パウチ作成用に、米国インディアナ州ゲーリー（Gary）のクリスクラフト社（Chris Craft Inc）から供給されるモノゾル（Monosol）Ｍ８６３０（厚さ７６μｍ）ＰＶＡフィルムを使用する。フィルムは、型に供給されて、ベルトで固定される。型は、半径が１４．２７ｍｍの球形ドリルで深さ８．８９ｍｍまで切り込まれた（図１に示すような）半球形の空洞を有する。フィルムは、真空で型に引き込まれる。真空は、２段階でフィルムにかけられる。最初に、約８００ｍｂａｒの高真空がフィルムにかけられて開放パウチを形成し、続いて、約３００ｍｂａｒの低真空がフィルムにかけられてフィルムを空洞内に保持する。これらの状態でのフィルムの変形は約２８％である。洗剤製品１．９ｍｌを開放パウチに注いで、上部空間０．９ｍｌを残す。第二のシートが、開放パウチの上に置かれて、２つの平行シールバー（２ｍｍ幅）により２工程で封着される。第一工程は、中心間ピッチ３８ｍｍを有するシールバーにより実施され、第二工程は、第一工程のバーに垂直であって中心間ピッチ３４ｍｍを有するシールバーにより実施される。
【００４７】
（実施例２）
実施例１を繰り返して、第二の封着工程の間に反弓なり処置を追加する。この処置中には、シールバーの間に置いた指で、パウチを閉じる前に頂部空間内のいくらかの空気を押し出す。このことは、パウチ内に混入した空気の体積を更に減少させるのに寄与する。
【図面の簡単な説明】
【００４８】
【図１】実施例１で使用した型が有する半球形の空洞を示す図。
【図１】
2006501111.tif 000004
【国際調査報告】
2006501111.tif 000005
2006501111.tif 000006